(57)【特許請求の範囲】
【請求項１】
粘着剤層を設けると共に、昆虫が侵入し得る入口を設けた箱体の底板に、発熱体を収納したトレイが配設された保温機能を有する捕虫器であって、
前記トレイは、上面を開閉蓋で閉じた状態とされていること
を特徴とする保温機能を有する捕虫器。
【請求項２】
前記開閉蓋の上面上に載設されたプレート面上に前記粘着剤層を設けた前記トレイを、前記箱体の底板面の上に配設したこと
を特徴とする請求項１に記載の保温機能を有する捕虫器。
【請求項３】
前記開閉蓋の上に前記箱体を固定するようにしたこと
を特徴とする請求項１に記載の保温機能を有する捕虫器。
【請求項４】
前記トレイが、昆虫が容易に登ることができる斜面形状の側壁で形成されていること
を特徴とする請求項１から請求項３までのいずれか１つに記載の保温機能を有する捕虫器。
【請求項５】
前記箱体が、１枚のシートを底板、側壁及び天井を形成するように折曲すると共に、端縁間を係合させて側面位置に入口を設けたこと
を特徴とする請求項１から請求項４までのいずれか１つに記載の保温機能を有する捕虫器。
【発明の詳細な説明】
【０００１】
【発明の属する技術分野】
本発明は、保温機能を有するゴキブリ等の昆虫類に対する捕虫器に関するものである。
【０００２】
【従来の技術】
従来、箱体の底板面上に設けた粘着剤層で昆虫類を捕獲するようにした捕虫器が汎用されている。例えば、実開昭６１−１９１７８０号公報に開示されているように、１枚シート面に複数の折目線を設けて、これらの折目線に沿って折り曲げて、粘着剤層を面上に有する底板の両側に側板と天井板とを設け、天井板を係合して偏平形状の捕虫器として組み立てるものである。この場合、箱体が偏平形状なのは、ゴキブリなどの昆虫は、暗いところを好む習性があるからである。
【０００３】
このような捕虫器において、主に、芳香性乃至喫食性の誘引剤を粘着剤層の面上中央に配置して、その誘引作用により昆虫を誘引するだけの場合が多い。しかし、このような誘引剤だけによる場合、誘引剤の種類によって対象とする昆虫類の種類が異なり、そのために多くの種類の誘引剤を調合しなければ、全ての昆虫類を捕獲できない、という欠点があった。
【０００４】
このため、上記した誘引剤に代えてあるいは誘引剤と共に、捕虫器が配置された周囲よりも、その粘着剤層面を高い温度状態とする発熱体を伴った捕虫器も開発されている（実開昭２−４９８７７号公報）。これは、昆虫類が温度の高い場所を好む性質を利用したもので、発熱体を設けることによって、捕虫効率を高めようとするものである。
【０００５】
【発明が解決しようとする課題】
上記した従来の捕虫器は、捕虫器を形成する箱体の裏面に発熱体を貼り付けるだけのものである。このため、例えば、使い棄てが可能な携帯用カイロ等のように、化学的な作用により発熱する発熱体では、その外形はイビツな形状であるのが一般的であるから、箱体に貼り付けあるいは取付けるのが困難であり、また、発熱体を貼り付けたために、捕虫器としての利用に際して、箱体の設置状態が不安定となってしまうという欠点がある。
【０００６】
また、箱体の底板面に直接貼りつける構成であるため、発熱体によって箱体の裏面側が過加熱の状態となってしまうという欠点もある。箱体の底板面が過加熱状態となると、却って昆虫類の誘引にとっては逆の効果となってしまうからである。
【０００７】
そこで、本発明では、発熱体を常に捕虫器を形成する箱体に容易に配設することができると共に、捕虫器の設置状態が、発熱体により設置状態の妨げにならず、しかも、捕虫器の底板面が過加熱状態となるのを回避でき、長時間に亘り保温機能を比較的に安定した状態で発揮させることができる捕虫器を提供することを目的とした。
【０００８】
【課題を解決するための手段】
上記した目的を達成するため、本発明の保温機能を有する捕虫器は、粘着剤層を設けると共に、昆虫が侵入し得る入口を設けた箱体の底板に、発熱体を収納したトレイを配設ししてなることを特徴とする。
【０００９】
上記した本発明の保温機能を有する捕虫器において、トレイとしては、紙材やプラスチック材により、箱体の内面に沿うように形成しておくことができる。このようなトレイを設けたことにより、まず、発熱体の収納する場所を、常に捕虫器を形成する箱体内の定位置に確保することができる。従って、発熱体を配設したことにより、捕虫器の設置状態が不安定となることはない。
【００１０】
発熱体はトレイに収納されているから、発熱体による加熱が直接箱体の底板面に伝導されることはない。従って、箱体の底板面の粘着剤層面は常に適温状態に維持される。この場合の適温状態とは、１５〜４０℃である。
【００１１】
本発明は、トレイを箱体の底板に対して内外の位置に配設した構成を含む。トレイを箱体内に配設する構成においては、上面を開閉できる開閉蓋を設け、この開閉蓋を閉じた状態で、その上面上に載設されたプレート面上に粘着剤層が設けられていることもできる。この場合、開閉蓋により粘着剤層を設けたプレートを安定状態で配置できると共に、開閉蓋の均熱作用により、トレイ内の温度状態を長時間に亘りより安定化させることができるからである。
【００１２】
また、トレイを箱体の底板の外側に配設する場合には、トレイの天板の面上に両面テープ等により箱体を固定することができる。この場合には、トレイの側壁は、昆虫が容易に登ることができる斜面形状の側壁で形成されていることが好ましい。ゴキブリ等の昆虫が箱体内に入り易いため、捕虫率を向上させることができるからである。
【００１４】
発熱体としては、化学的あるいは電気的に機能するもの等を使用することができる。化学的な発熱体としては、現在、携帯用の使い捨てカイロとして用いられているような、鉄粉、金属塩化物及び水との化学反応により発熱するものである。その他、保水剤及び反応促進剤からなるものを使用することができる。ここで、鉄粉は、３００μｍ程度の粉材である。また、金属塩化物としては、塩化ナトリウム、塩化カリウム、塩化マグネシウム、塩化カルシウム等である。水は保水剤により保持させることができる。この保水剤としては、水を均一に保持することができるパーライト、珪酸カルシウム、シリカゲル、シリカ系多孔質物質、ゼオライト、アルミナ、パルプ、木粉、紙屑、綿糸屑、吸水性ポリマー等である。さらに反応促進剤を配合して、化学反応を促進させることができる。この反応促進剤としては、活性炭、木炭、カーボンブラック、黒鉛、バーミキューライト等である。また、電気的な機能による発熱体としては、ヒーターを電池の起電力により発熱するようなものである。
【００１５】
本発明の保温機能を有する捕虫器は、箱体が、紙材、プラスチック材、木材等で予め成形されているものであってもよいが、１枚のシートを底板、側壁及び天井を形成するように折曲すると共に、端縁間を係合させて側面位置に入口を設けたものを箱体としたものであってもよい。
【００１６】
【発明の実施の形態】
次に、本発明の保温機能を有する捕虫器の実施の形態を図に基づいて説明する。保温機能を有する捕虫器１は、図１に示すように、箱体２と、箱体２内に配設されているトレイ３とからなる。
【００１７】
トレイ３は、図２に示すように、紙材の底部４の周縁部を折曲して傾斜した側壁５として収納部６を形成したものである。側壁５の一辺には開閉蓋７が連設されていて、開閉蓋７により収納室６の上面開放部を開閉することができるようになされている。収納室６には、携帯用カイロ８が収納されている。携帯用カイロ８は、鉄粉、金属塩化物、水等が包装状態で収容されていて、これらを混合することにより、化学的に発熱できるようになっている。トレイ３を開閉蓋７により閉じた状態で、開閉蓋７の上面上に粘着剤層プレート９が載設されている。粘着剤層プレート９の面上には、粘着剤を塗布することにより粘着剤層１０が形成されている。
【００１８】
トレイ３内で携帯用カイロ８は、鉄粉、金属塩化物及び水を混合することにより、予め化学反応により発熱するように操作されている。携帯用カイロ８の発熱作用はトレイ３内で生じて、トレイ３により均熱作用を生じるようになされている。即ち、携帯用カイロ８で生じた発熱は、トレイ３の空間内で分散される結果均熱化され、この均熱作用により開閉蓋７及び粘着剤層プレート９の面上は適温状態となる。
【００１９】
箱体２は、図３に示すように、一枚のシート材からなる。このシート材には、底板１２の両側に平行な折目線１５ａ、１５ｂを介して側板１３と、斜側板１４とが設けられ、斜側板１４との間の折目線１５ｃを介しては天井板１７又は１９が設けられている。
【００２０】
天井板１７及び１９には板面上にアール形状の切込線２６ａが折目線１５ｃの端部間に折目線１５ｂを渡る位置にまで形成されている。天井板１７及び１９をそれぞれ折目線１５ａで内折れさせた時に、切込線１５ａによって側板１３及び斜側板１４の面上に、図１に示す正面入口３１がそれぞれ形成されると共に、切込線２６ａにより切り出された両側の突部を含む部分が庇状に外方へ突出するようになっている。また、折目線２６ａで内折れさせた時に、耳片２６部分が、各側板１３の開孔縁についての跳上片となる。各側板１３の面上には、耳片２６を仕切るように破線２７が設けられており、破線２７で耳片２６を内方へ折り曲げて傾斜させることができる。
【００２１】
天井板１７の端縁中央には、係合部１８を形成する切込線１８ａが設けられている。係合部１８は、天井板１９の対応する面上部を切り込んだ係合線２８に挿入することにより、天井板１７と天井板１９とを相互に係合させることができる。
【００２２】
各側板１３の端部と底板１２の端部との間はそれぞれ切欠いたように形成され、これらの切欠き部分を連結するように環状部３０がそれぞれ形成されている。環状部３０には、底板１２及び側板１３との間に複数の折目線が設けられており、これらの折目線で底板１２の端縁部１２ａを内側に折り曲げた状態で固定できるようになっている。
【００２３】
天井板１９の端縁に沿っては破線２１ａにより区分された把手２１が設けられている。破線２１ａは破断用として形成され、その一端はシート材の一方の側端にまで及んでいるが、他端はシート材の他方の側端近傍に及んでいる。また、把手２１の面上には、その長手方向にに沿って折曲用の破線２２が設けられ、破線２２に対して垂直に折曲線２３〜２５が設けられている。天井板１９の面上中央には切込線２９ａが設けられ、この切込線２９ａで破断し、垂設することにより取手２１が得られる。
【００２４】
トレイ３は、その中に予め発熱体としての携帯用カイロ８を収納した状態で、底板１２の面上に配置される。このとき、図４に示すように、底板１２とトレイ３の底部４との接面間を接着しておいてもよい。次いで、トレイ３の収納部６を開閉蓋７により閉じてから、開閉蓋７の上面に粘着剤層プレート９が載設される。このとき、これらの接面間を接着しておいてもよい。このトレイ３を配置した状態で箱体２が組立てられる。
【００２５】
組立てられた保温機能を有する捕虫器１については、前記したように両側面位置に正面入口３１がそれぞれ形成されると共に、底板１２と側壁１３、斜側壁１４及び天井板１７、１９でそれぞれ形成される側面入口３２が形成される。
【００２６】
このように構成される捕虫器１は、把手２１を介してゴキブリ用捕虫器１の全体を移動操作できるようになっている。従って、狭く奥まった所へも容易に設置し、また取り出すことができる。また、把手２１は、天井板１９に連継されているため、捕虫器１の本体部分の設置状態に影響を与えずに、安定した状態で所定の場所に設置することができる。
【００２７】
このように底板１２の上面に配設されたトレイ３は偏平形状に形成されており、正面入口３１及び側面入口３２の障害にはならないようになっている。また、携帯用カイロ８より加熱された粘着剤層プレート９は、トレイ３における均熱作用により適温状態に維持される。これによって、温度状態が周囲よりは高い適温状態に誘引されて、捕虫器１内に侵入してきた昆虫類を、粘着剤層プレート９の粘着剤層１０の粘着力で確実に捕獲できる。
【００２８】
次に、本発明の第二の実施の形態に係る保温機能を有する捕虫器を説明する。図５に示すように、この保温機能を有する捕虫器３４は、図５及び図６に示すように、箱体２の底板１２の下面に、トレイ３５の上面を形成する開閉蓋３７を両面テープ３８を介して固定したものである。３９は、トレイ３５内に収納した発熱体である。
【００２９】
トレイ３５は、図７に示すように、側壁３６が斜面形状となっている。側壁３６の斜面形状は、箱体２の耳片２６の傾きと同じにしてある。従って、昆虫は、側壁３６と耳片２６との連続的な斜面に従って、正面入口３１から容易に箱体２内に侵入することができるから、捕虫率を高めることができる。また、この側壁３６の傾斜角は、側面入口３２についても、端縁部１２ａの傾斜同じ角度であり、上記同様の機能が発揮される。
【００３０】
【発明の効果】
上述したように本発明は構成されるから、次のような効果が発揮される。本発明の保温機能を有する捕虫器には、トレイが予め捕虫器を形成する箱体に設置され、このトレイ内に発熱体を収納するようにしたので、常に、発熱体をトレイ内に保持した状態で使用することができる。
【００３１】
発熱体はトレイ内に収納保持されているから、発熱体の発熱はトレイ内で均熱化されると共に、箱体の底板あるいはトレイの天板によりその発熱が分散されるから、箱体の底板が発熱体に直接接している場合のように、捕虫器が過加熱状態となることはない。
【００３２】
さらに、トレイが箱体の底板面上に配設される場合に、トレイの天板あるいは開閉蓋の面上に粘着剤層プレートが設けられるときには、その過加熱状態は粘着剤層プレートによってさらに回避される。従って、従来の携帯用カイロをそのまま使用することができると共に、捕虫器を構成する箱体についても１枚シートからなるものを組立て使用することができる。
【図面の簡単な説明】
【図１】本発明の第一の実施の形態に係る保温機能を有する捕虫器の斜視図である。
【図２】本発明の第一の実施の形態に係る保温機能を有する捕虫器におけるトレイを説明する分解斜視図である。
【図３】本発明の第一の実施の形態に係る保温機能を有する捕虫器の展開平面図である。
【図４】本発明の第一の実施の形態に係る保温機能を有する捕虫器のＡ−Ａ縦断面図である。
【図５】本発明の第二の実施の形態に係る保温機能を有する捕虫器の斜視図である。
【図６】本発明の第二の実施の形態に係る保温機能を有する捕虫器のＢ−Ｂ縦断面図である。
【図７】本発明の第二の実施の形態に係る保温機能を有する捕虫器のトレイを説明する斜視図である。
【符号の説明】
１  保温機能を有する捕虫器
２  箱体
３  トレイ
４  底部
５  側壁
６  収納部
７  開閉蓋
８  形態用カイロ
９  粘着剤層プレート
１０  粘着剤層
１２  底板
１３  側壁
１４  斜側壁
１７  天井板
１８  係合部
１９  天井板
３１  正面入口
３２  側面入口
３４  保温機能を有する捕虫器
３５  トレイ
３６  側壁
３７  開閉蓋
３８  両面テープ
３９  発熱体
【図１】
0004818520.tif 000002
【図２】
0004818520.tif 000003
【図３】
0004818520.tif 000004
【図４】
0004818520.tif 000005
【図５】
0004818520.tif 000006
【図６】
0004818520.tif 000007
【図７】
0004818520.tif 000008